(57)【特許請求の範囲】
【請求項１】
床スラブにより複数の階層に区画して形成した集合住宅の上下階層において、
上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置し、
多目的空間形成部は、隣接する洗面所とリビングとの間に跨って形成し、同洗面所とリビングとを仕切壁で区画するとともに、同仕切壁は、下部に抽出口を形成して、同抽出口を介して移動ラックが洗面所とリビングとの間で移動する多目的空間が多目的空間形成部内に形成されるように形成し、
洗面所側に位置する多目的空間形成部の端部から仕切壁までの距離を移動ラックの幅と略同一となして、同洗面所側に位置する多目的空間内に移動ラックを収納した際に、同移動ラックが仕切壁下部の抽出口からリビングに露出するようにし、
移動ラックの上面は開放して収納物の収納取出口とし、洗面所側に位置する多目的空間内に移動ラックを移動した場合には、洗面所の床面と同一レベルの蓋体によって上記収納取出口を閉蓋可能に構成するとともに、リビング側に位置する多目的空間内に移動ラックを移動した場合には、同移動ラックの上面は開放状態となるようにしたことを特徴とする集合住宅の床下構造。
【発明の詳細な説明】
【０００１】
【発明の属する技術分野】
本発明は、集合住宅の床下構造に関する。
【０００２】
【従来の技術】
従来、集合住宅の床下構造の一形態として、各階層を区画する床スラブ上に、複数の逆梁を上向きに突設して、同逆梁上に床材を横架して床面を形成することにより、床材と床スラブとの間に床下多目的空間を形成したものがある。
【０００３】
【発明が解決しようとする課題】
ところが、上記した床下構造は、以下のような不具合を有している。
【０００４】
▲１▼床スラブ上に逆梁を設ける逆梁工法は、不必要に大きな床下収納空間を形成して、無駄な床下収納空間も保有することになるため、比較的にコスト高になる。
【０００５】
▲２▼逆梁工法では、各階の高さが５００ｍｍ〜６００ｍｍ程度高くなるため、日影規制や高度斜線規制により、階数・床面積を確保することが困難である。
【０００６】
▲３▼逆梁を設けて床下収納空間を形成するため、各階の高さが高くなり、階数に制限が生じることから、集合住宅の戸数が制限されることになる。
【０００７】
▲４▼床下収納空間が大きいため、消防法の適用を受けて火災感知器の設置を義務付けられる等の煩わしさが生じる場合がある。
【０００８】
▲５▼床下収納空間を隣接する部屋に跨って形成し、両方の部屋で有効に使用するという発想がなく、単に床下物入れ収納庫のかわりに使用するなどの単純な使用形態でしかなかった。
【０００９】
【課題を解決するための手段】
そこで、本発明では、床スラブにより複数の階層に区画して形成した集合住宅の上下階層において、上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置し、多目的空間形成部は、隣接する洗面所とリビングとの間に跨って形成し、同洗面所とリビングとを仕切壁で区画するとともに、同仕切壁は、下部に抽出口を形成して、同抽出口を介して移動ラックが洗面所とリビングとの間で移動する多目的空間が多目的空間形成部内に形成されるように形成し、洗面所側に位置する多目的空間形成部の端部から仕切壁までの距離を移動ラックの幅と略同一となして、同洗面所側に位置する多目的空間内に移動ラックを収納した際に、同移動ラックが仕切壁下部の抽出口からリビングに露出するようにし、移動ラックの上面は開放して収納物の収納取出口とし、洗面所側に位置する多目的空間内に移動ラックを移動した場合には、洗面所の床面と同一レベルの蓋体によって上記収納取出口を閉蓋可能に構成するとともに、リビング側に位置する多目的空間内に移動ラックを移動した場合には、同移動ラックの上面は開放状態となるようにしたことを特徴とする集合住宅の床下構造を提供するものである。
【００１０】
また、本発明は、移動ラックの上面に開閉蓋を設け、同移動ラックが洗面所に移動した場合は、開閉蓋が洗面所に床面を構成することにも特徴を有する。
【００１１】
【発明の実施の形態】
以下に、本発明の実施の形態について説明する。
【００１２】
すなわち、本発明に係る集合住宅の床下構造は、床スラブにより複数の階層に区画して形成した集合住宅において、各床スラブの一部を下方へ膨出させて、各床スラブに凹状の多目的空間形成部を形成している。
【００１３】
このようにして、各床スラブに多目的空間形成部を形成することにより、必要な場所に必要な大きさの多目的空間を、コスト負担を掛けることなく形成することができる。
【００１４】
そして、多目的空間形成部は、収納空間や配管スペースやメンテナンス空間等の多目的空間として有効利用することができる。
【００１５】
しかも、各階の高さに変更が生じないため、日影規制や高度斜線規制を受ける心配がなく、階数・床面積を有効に確保することができる。
【００１６】
さらには、各階の高さに変更が生じず、階数に制限が生じないことから、集合住宅の戸数が制限されることはない。
【００１７】
また、多目的空間形成部は、必要以上に大きく形成しないため、消防法の適用を受けることはなく、火災感知器の設置を義務付けられる等の煩わしさを生じることがない。
【００１８】
ここで、多目的空間形成部の直下方に位置する階下の部屋以外の部屋に、居室を配置することができる。
【００１９】
このようにして、居室の天井高さを大きく確保して、入居者に圧迫感を与えることなく、居住空間をゆったりと大きく形成することができる。その結果、居住性を良好に確保することができる。
【００２０】
また、多目的空間形成部の直下方に位置する階下の部屋に、キッチン、浴室、洗面所、及び、便所等の水廻り機能室を配置することができる。
【００２１】
このようにして、キッチン、浴室、及び、洗面所等の水廻り機能室は、天井部が高すぎると、清掃がし難い上に、熱効率が悪くなるという不具合があるが、かかる水廻り機能室は、下方に膨出する多目的空間形成部の直下方に位置する階下の部屋に配置していることより、同多目的空間形成部が下方に膨出している分だけ、水廻り機能室の天井部の高さを低くすることができて、同水廻り機能室の清掃をし易くすることができると共に、同水廻り機能室の熱効率を高くすることができる。
【００２２】
また、各階層の床スラブに形成した多目的空間形成部は、左右方向に千鳥状となるように階別に交互に配置することができる。
【００２３】
このようにして、集合住宅全体の荷重バランスを良好に保つことができて、集合住宅の強度も良好に確保することができる。
【００２４】
また、多目的空間形成部は、居室の直下方に配置することができる。
【００２５】
このようにして、居室の直下方に配置した多目的空間形成部に、物品を収納することができると共に、必要に応じて物品の出し入れを楽に行うことができる。
【００２６】
また、多目的空間形成部は、少なくとも一つの端面を梁部に直接接続することができる。
【００２７】
このようにして、多目的空間形成部を梁部に対して少なくとも一辺固定構造となすことができて、床スラブの剛性を良好に確保することができる。
【００２８】
また、多目的空間形成部内に複数の段差を有する凹部を形成することができる。
【００２９】
このようにして、多目的空間形成部内に形成した複数の段差を有する凹部内に、適宜高さの異なる収容物を収容することができて、収容効率を良好に確保することができる。
【００３０】
しかも、かかる多目的空間形成部の直下方に形成される天井裏の未利用空間を、最大限に有効利用することができる。
【００３１】
例えば、天井が低くても良い浴室や洗面所や便所と、天井をもう少し高くしておきたいキッチン等を隣接させて配設することができ、居住空間内のレイアウト設計に広がりをもたせることができる。
【００３２】
また、多目的空間は、仕切壁で区画された隣接する部屋の間に跨って形成して、多目的空間内にラックを設け、同ラックの移動は隣接する部屋の仕切壁下部に形成した抽出口を介して、隣接する部屋間で行うべく構成したので、隣接する部屋の間でラックの移動を簡単に行うことができる。
【００３３】
また、隣接する部屋はリビングと洗面所とすれば、リビングで予めラック中に洗濯物を収納した後に、リビングから洗面所へと多目的空間内のラックを移動して、洗面所においてラック中の洗濯物を取り出し、洗濯などが行える。
【００３４】
従って、廊下を通らずに洗濯物を洗面所側に移すことができ、作業動線を短くすることができるため、作業負担を軽減することができる。
【００３５】
また、移動ラックの上面は開放して収納物の収納取出口とすると共に、洗面所内に同ラックを移動した場合は、洗面所の床面と同一レベル位置の蓋体によって閉蓋すべく構成すれば、洗面所からは移動ラック内の収納物（洗濯物等）が見えることはなく、外観上整理整頓された状態とすることができる。
【００３６】
また、移動ラックのリビング側への移動時には、同ラックの上面は開放状態となるようにすれば、わざわざ蓋体をあけたりする必要がなく、すぐに移動ラック内に洗濯物等を収納することができるので、作業の手間を省くことができる。
【００３７】
また、移動ラックの上面には開閉蓋を設け、同ラックが洗面所に移動した場合は、開閉蓋が洗面所の床面を構成するようにすれば、洗面所及びリビングの両方において、移動ラック内の収納物（洗濯物等）が見えることはなく、外観上整理整頓された状態とすることができる。
【００３８】
【実施例】
以下に、本発明の実施例を、図面を参照しながら説明する。
【００３９】
図１及び図２に示すＡは、本発明に係わる鉄筋コンクリート製の集合住宅であり、同集合住宅Ａは、前後左右方向に対向させて立設した複数の柱部１と、対向する柱部１，１の間に横架した梁部２との間に、外壁３と内壁４と床スラブ５とを張設して、内部に複数の居住空間Ｓを区画した状態にて形成している。
【００４０】
そして、居住空間Ｓ内には、床部６を張設して、同床部６上に、リビング・ダイニングルーム７と和室８とキッチン９と浴室１０と洗面所１１と便所１２と洋室１３，１４と玄関１５と下駄箱１６と吊り戸棚２４と押入れ２５と物入れ２６とクローゼット２７，２８とを設けている。２０は窓、２１は内部仕切壁、２３は、左右対称位置にそれぞれ配置したパイプスペースである
ここで、居室としてのリビング・ダイニングルーム７と和室８と洋室１３，１４の内、本実施例では、和室８は、床部６の左右いずれか一側の中央部に形成する一方、キッチン９、浴室１０、洗面所１１、及び、便所１２等の水廻り機能室１７は、床部６の左右いずれか他側の中央部に形成して、和室８と水廻り機能室１７とを左右に隣接させて配置している。
【００４１】
しかも、和室８の直下方に位置する床スラブ５の部分には、下方へ膨出して、上面に凹状の多目的空間Ｓ１を形成する多目的空間形成部１８を形成し、同多目的空間形成部１８の直下方に位置する階下の部屋には、水廻り機能室１７を配置している。１９は収納ケースである。
【００４２】
このようにして、各階層の床スラブ５に形成した多目的空間形成部１８は、左右方向に千鳥状となるように階別に交互に配置して、集合住宅Ａ全体の荷重バランスを良好に保つと共に、集合住宅Ａの強度も良好に確保することができるようにしている。
【００４３】
この際、居室８の床部６（本実施例では畳２２を敷設している）の下には開閉体（図示せず）を設けて、同開閉体を開放することにより、居室８の直下方に配置した多目的空間形成部１８に、物品を楽に収納することができると共に、必要に応じて物品の出し入れを楽に行うことができる。
【００４４】
ここで、キッチン９、浴室１０、洗面所１１、及び、便所１２等の水廻り機能室１７は、床スラブ５の下面によって形成される各階層の天井部５ａが高すぎると、清掃がし難い上に、熱効率が悪くなるという不具合があるが、かかる水廻り機能室１７は、下方に膨出する多目的空間形成部１８の直下方に位置する階下の部屋に配置しているため、同多目的空間形成部１８が下方に膨出している分だけ、水廻り機能室１７の天井部５ａの高さを低くすることができて、同水廻り機能室１７の清掃をし易くすることができると共に、同水廻り機能室１７の熱効率を高くすることができる。
【００４５】
従って、清掃の容易化と熱効率の良好な確保が図れるように、水廻り機能室１７の天井部５ａの高さを必要最低限の高さに設定することにより、多目的空間形成部１８の容積を最大限に大きく設定することができて、必要最低限の多目的空間Ｓ１を確保することができる。
【００４６】
また、本実施例では、図２に示すように、和室８の直下方に形成した多目的空間形成部１８を、押入れ２５と物入れ２６とクローゼット２７の直下方位置まで伸延させて形成している。
【００４７】
図３は、多目的空間形成部１８の平面説明図、図４は、図３のＩ−Ｉ線断面図であり、同多目的空間形成部１８の底部１８−１の一側端面を小梁部４５に直接接続して、同小梁部４５に多目的空間形成部１８の底部１８−１の一辺を固定させた一辺固定構造となしている。
【００４８】
このように、多目的空間形成部１８が小さい場合には、少なくとも梁部である小梁部４５に底部１８−１の一辺を固定させた一辺固定構造となすことにより、床スラブ５の剛性を良好に確保することができる。
【００４９】
図５は、第１変容例としての多目的空間形成部１８の平面説明図、図６の（ａ）は図５のＩＩ−ＩＩ線断面図、図６の（ｂ）は図５のＩＩ’−ＩＩ’線断面図であり、同多目的空間形成部１８の底部１８−１の左右側端面を、梁部２とそれに対向させて配置した小梁部４６に直接接続して、両梁部２，４６に多目的空間形成部１８の底部１８−１の二辺を固定させた二辺固定構造となしている。
【００５０】
このように、梁部２と小梁部４６とに多目的空間形成部１８の底部１８−１の二辺を固定させた二辺固定構造となすことにより、床スラブ５の剛性をより一層良好に確保することができる。
【００５１】
図７は、第２変容例としての多目的空間形成部１８の平面説明図、図８は、図７のＩＩＩ−ＩＩＩ線断面図であり、同多目的空間形成部１８の底部１８−１の三つの端面を、梁部２と二つの小梁部４５，４６に直接接続して、これら梁部２，４５，４６に多目的空間形成部１８の底部１８−１の三辺を固定させた三辺固定構造となしている。
【００５２】
このように、梁部２と小梁部４５，４６とに多目的空間形成部１８の底部１８−１の三辺を固定させた三辺固定構造となすことにより、床スラブ５の剛性をさらに一層良好に確保することができる。
【００５３】
図９は、第３変容例としての多目的空間形成部１８の平面説明図、図１０は、図９のＩＶ−ＩＶ線断面図であり、同多目的空間形成部１８の底部１８−１の四つの端面を、梁部２と三つの小梁部４５，４５，４６に直接接続して、これら梁部２，４５，４５，４６に多目的空間形成部１８の底部１８−１の四辺を固定させた四辺固定構造となしている。
【００５４】
このように、梁部２と小梁部４５，４５，４６とに多目的空間形成部１８の底部１８−１の四辺を固定させた四辺固定構造となすことにより、床スラブ５の剛性を強固なものとなすことができる。
【００５５】
図１１は、第４変容例としての多目的空間形成部１８の平面説明図、図１２は、図１１のＶ−Ｖ線断面図であり、同多目的空間形成部１８は三辺固定構造となすと共に、同多目的空間形成部１８内に複数（本実施例では二つ）の段差を有する凹部としての第１・第２多目的空間Ｓ１ａ，Ｓ１ｂを形成している。
【００５６】
このようにして、多目的空間形成部１８内に形成した第１・第２多目的空間Ｓ１ａ，Ｓ１ｂ内に、適宜高さの異なる収容物を収容することができて、収容効率を良好に確保することができる。
【００５７】
しかも、かかる多目的空間形成部１８の直下方に形成される天井裏の未利用空間を、最大限に有効利用することができる。
【００５８】
例えば、天井が低くても良い浴室１０や洗面所１１や便所１２と、天井をもう少し高くしておきたいキッチン９等を隣接させて配設することができ、居住空間Ｓ内のレイアウト設計に広がりをもたせることができる。
【００５９】
図１３は、第５変容例としての多目的空間形成部１８の平面説明図、図１４は、図１３のＶＩ−ＶＩ線断面図であり、同多目的空間形成部１８は四辺固定構造となすと共に、同多目的空間形成部１８内に複数（本実施例では二つ）の段差を有する凹部としての第１・第２多目的空間Ｓ１ａ，Ｓ１ｂを形成している。
【００６０】
このようにして、多目的空間形成部１８内に形成した第１・第２多目的空間Ｓ１ａ，Ｓ１ｂ内に、適宜高さの異なる収容物を収容することができて、収容効率を良好に確保することができると共に、多目的空間形成部１８の剛性を強固なものとなすことができる。
【００６１】
図１５は、第５変容例としての多目的空間形成部１８の第１・第２多目的空間Ｓ１ａ，Ｓ１ｂ内に、水廻り機能室１７に始端を接続した排水横管４７を配置した実施例を示しており、同実施例では、排水横管４７の終端を排水竪管４８に接続する場合に、第１多目的空間Ｓ１ａ分の大きな勾配を形成することができて、排水効率を向上させることができる。
【００６２】
そして、水廻り機能室１７をパイプスペース２３から離れた位置に配置した場合にも排水性を良好に確保することが可能となり、同水廻り機能室１７のレイアウトの自由度を増大させることができる。
【００６３】
図１６の（ａ）は多目的空間Ｓ１内にメリーゴーラウンド式の引き出しユニット５５を出し入れ可能にした例を示す概略図である。
【００６４】
引き出しユニット５５は二段式であって多目的空間Ｓ１内と床面上に位置する配置となっている。そして、二段式の引き出しユニット５５は引き出し５５ａの配列方向に移動させることができ、床面より上に来たときに各引き出し５５ａを出し入れすることで衣類等を収納したり取り出したりすることができる。なお、本この例では引き出しユニット５５の上方にクローゼット５６を配置し、引き出しユニット５５と共用することによって収納物を増やすことができる。
【００６５】
図１７は居室に設けた多目的空間Ｓ１内を各種の物品の収納部とした例である。この例では、多目的空間Ｓ１の上端に開閉自在な蓋６８が被せられ、この蓋６８を開くことにより各種の物品を多目的空間Ｓ１に収納したり取り出したりすることができる。このような構成では、床の間に形成した多目的空間Ｓ１を収納空間とするので、蓋６８を被せることで居室の床面を広く有効活用することができる。
【００６６】
図１８はリビング７２と洗面所７３との間に多目的空間Ｓ１を形成し、この多目的空間Ｓ１ないに移動ラック７４を設けた例である。移動ラック７４は洗濯物等を搭載するもので、洗濯し終わった洗濯物を搭載するときには移動ラック７４をリビング７２側に引き出して洗濯物を移動ラック７４に載せる。そして、多目的空間Ｓ１内で移動ラック７４を押して洗面所７３側に移動させる。これにより、廊下を通らずに洗濯物を浴室７３側に移すことができ、主婦の作業動線を格段に短くすることができる。したがって、洗濯物の洗濯後には移動ラック７４を移動させるだけの作業で済み、主婦の作業負担を軽減することができる。
【００６７】
なお、仕切壁で区画された隣接する部屋に跨って設けられた多目的空間形成部１８のうち、一方の部屋（洗面所）側に位置する多目的空間形成部１８の端部から仕切壁までの距離を移動ラック７４の幅と略同様となるようにして、同一方の部屋（洗面所）側に位置する多目的空間形成部１８の内部に移動ラック７４を収納した際に、移動ラック７４が、仕切壁下部の抽出口から他方の部屋（リビング７２）に露出するようにしている。
【００６８】
従って、移動ラック７４は、少なくとも一方の部屋（洗面所）側の多目的空間形成部１８の内部には、同移動ラック７４の幅の分だけしか入り込むことはできないので、一方の部屋（洗面所）側の多目的空間形成部１８の内部に収納された移動ラック７４を、他方の部屋（リビング７２）側から容易に引き出すことができる。
【００６９】
図１９はキッチン等の床下に多目的空間Ｓ１を形成し、この多目的空間Ｓ１中に収納ラック７７，７８，７９を出し入れ可能とした例である。３個の収納ラック７７，７８，７９は小物を収納するもので、これらの収納ラック７７，７８，７９をすべて多目的空間Ｓ１内に収納する互いに拘束しあってきっちりと多目的空間Ｓ１内に収納される。そして、収納ラック７７，７８，７９はそれぞれ独立して多目的空間Ｓ１から取り出すことができ、各収納ラック７７，７８，７９はそれぞれ小型なので軽く持ち上げだけで多目的空間Ｓ１から引き出せる。このような構成では、多目的空間Ｓ１内の小物収納部として利用することができるとともに、各収納ラック７７，７８，７９を収納してしまえばキッチンの床面と同レベルに設定することができ、床面全体を使用することができる。
【００７０】
図２０は居室の適切な位置に多目的空間Ｓ１を形成するとともに、この多目的空間Ｓ１内に移動式のラック１１０を形成した例である。移動式のラック１１０はキャスター１１０ａを備えたもので、居室内で自由に動かせる構成としたものである。このように移動式のラック１１０を多目的空間Ｓ１内に収納することによって、ラック１１０に収納した小物類をまとめて多目的空間Ｓ１内に保管することができる。
【００７１】
【発明の効果】
本発明では、床スラブにより複数の階層に区画して形成した集合住宅の上下階層において、上階層の床スラブの一部を下方へ膨出させて凹状の多目的空間形成部を形成するとともに、同じく下階層の床スラブの一部を下方へ膨出させて凹状の多目的空間形成部を形成し、上下階層の多目的空間形成部は、左右方向に千鳥状となるように配置している。
【００７２】
このようにして、多目的空間形成部を形成することにより、必要な場所に必要な大きさの多目的空間を、コスト負担をかけることなく形成することができるとともに、集合住宅全体の荷重バランスを良好に保つことができて、集合住宅の強度も良好に確保することができる。
【００７３】
そして、多目的空間形成部は、収納空間や配管スペースやメンテナンス空間等の多目的空間として有効利用することができる。
【００７４】
しかも、各階の高さに変更が生じないため、日影規制や高度斜線規制を受ける心配がなく、階数・床面積を有効に確保することができる。
【００７５】
さらには、各階の高さに変更が生じず、階数に制限が生じないことから、集合住宅の戸数が制限されることはない。
【００７６】
また、多目的空間形成部は、必要以上に大きく形成しないため、消防法の適用を受けることはなく、火災感知器の設置を義務付けられる等の煩わしさを生じることがない。
【００７７】
また、本発明では、多目的空間形成部は、隣接する洗面所とリビングとの間に跨って形成し、同洗面所とリビングとを仕切壁で区画するとともに、同仕切壁は、下部に抽出口を形成して、同抽出口を介して移動ラックが洗面所とリビングとの間で移動する多目的空間が多目的空間形成部内に形成されるように形成している。
このようにして、リビング側から洗面所側へ多目的空間内にて移動ラックを押して移動させることにより、洗濯物等を移動させることができるため、廊下を通らずに洗濯物等を洗面所側に移すことができ、主婦の作業動線を格段に短くすることができて、主婦の作業負担を軽減することができる。
しかも、洗面所側に位置する多目的空間形成部の端部から仕切壁までの距離を移動ラックの幅と略同一となして、同洗面所側に位置する多目的空間内に移動ラックを収納した際に、同移動ラックが仕切壁下部の抽出口からリビングに露出するようにしている。
従って、移動ラックは、少なくとも洗面所側の多目的空間内には、移動ラックの幅の分だけしか入り込むことができないため、洗面所側の多目的空間内に収容された移動ラックを、リビング側から容易に引き出すことができる。
さらには、移動ラックの上面は開放して収納物の収納取出口とし、洗面所側に位置する多目的空間内に移動ラックを移動した場合には、洗面所の床面と同一レベルの蓋体によって上記収納取出口を閉蓋可能に構成するとともに、リビング側に位置する多目的空間内に移動ラックを移動した場合には、同移動ラックの上面は開放状態となるようにしている。
このようにして、洗面所側に位置する多目的空間内に移動ラックを移動した場合には、洗面所の床面と同一レベルの蓋体によって上記収納取出口を閉蓋可能に構成しているため、洗面所からは移動ラックの収納物（例えば、洗濯物等）が見えることがなく、外観上整理整頓された状態とすることができる。
また、リビング側に位置する多目的空間内に移動ラックを移動した場合には、同移動ラックの上面は開放状態となるようにしているため、わざわざ蓋体を開けたりする必要がなく、すぐに移動ラック内に洗濯物等を収納することができるので、作業の手間を省くことができる。
【図面の簡単な説明】
【図１】本発明に係る集合住宅の床下構造の断面正面説明図。
【図２】同床下構造の平面説明図。
【図３】多目的空間形成部の平面説明図。
【図４】図３のＩ−Ｉ線断面図。
【図５】第１変容例としての多目的空間形成部の平面説明図。
【図６】（ａ）は図５のＩＩ−ＩＩ線断面図、（ｂ）は図５のＩＩ’−ＩＩ’線断面図。
【図７】第２変容例としての多目的空間形成部の平面説明図。
【図８】図７のＩＩＩ−ＩＩＩ線断面図。
【図９】第３変容例としての多目的空間形成部の平面説明図。
【図１０】図９のＩＶ−ＩＶ線断面図。
【図１１】第４変容例としての多目的空間形成部の平面説明図。
【図１２】図１１のＶ−Ｖ線断面図。
【図１３】第５変容例としての多目的空間形成部の平面説明図。
【図１４】図１３のＶＩ−ＶＩ線断面図
【図１５】排水横管の配管構造を示す断面側面説明図。
【図１６】（ａ）は多目的空間内にメリーゴーラウンド式の引き出しユニットを配置した例を示す概略図、（ｂ）はマットを多目的空間内に収納可能とした例を示す概略図。
【図１７】多目的空間の上に開閉自在な蓋を備えた例を示す概略図。
【図１８】リビングと洗面所との間に多目的空間を形成しこの多目的空間内を移動する移動ラックを備える例を示す概略図。
【図１９】多目的空間内に３個の収納ラックを収納する例であって、（ａ）は収納状態を示す概略断面図、（ｂ）は収納ラックの概略斜視図。
【図２０】居室に設けた多目的空間に移動式のラックを収納できる構成とした例の概略図。
【符号の説明】
Ａ  集合住宅
Ｓ  居住空間
Ｓ１  多目的空間
１  柱部
２  梁部
３  外壁
４  内壁
５  床スラブ
６  床部
７  リビングルーム
８  居室
９  キッチン
１７  水廻り機能室
１８  多目的空間形成部
【図１】
0003628992.tif 000002
【図２】
0003628992.tif 000003
【図３】
0003628992.tif 000004
【図４】
0003628992.tif 000005
【図５】
0003628992.tif 000006
【図６】
0003628992.tif 000007
【図７】
0003628992.tif 000008
【図８】
0003628992.tif 000009
【図９】
0003628992.tif 000010
【図１０】
0003628992.tif 000011
【図１１】
0003628992.tif 000012
【図１２】
0003628992.tif 000013
【図１３】
0003628992.tif 000014
【図１４】
0003628992.tif 000015
【図１５】
0003628992.tif 000016
【図１６】
0003628992.tif 000017
【図１７】
0003628992.tif 000018
【図１８】
0003628992.tif 000019
【図１９】
0003628992.tif 000020
【図２０】
0003628992.tif 000021